(57)【要約】【課題】  海釣りの場合、水深が与える影響が大きく、釣りの方法も変わる。簡単な構造で、手軽に使用でき正確な水深距離を測定する。【解決手段】ウキ４に糸１を結びつけ、その位置から距離を測り測定点を決める。測定点に重り止め２を装着し、重り３を糸１に取り付ける。糸１の末端を竿５に通しリール６に捲きつける。重り３は巻き揚げると重り止め２で止まる構造になっている。【選択図】        図１５
2007010641.tif 000002
【特許請求の範囲】
【請求項１】
（イ）糸１の距離測定点に重り止め２を装着し、空洞状の重り３を取り付ける。
（ロ）糸１の先端部をウキ４に結びつけ、末端部を竿５に通し、リール６に捲きつける。
以上のごとく構成された水深測定具。
【請求項２】
重り３の上部に切り込み７を入れ、内面に同一の位置、方向の凹部を設け、開閉ができるようにする。
【請求項３】
重り３の上部に溝８を入れ、内面に同一の位置、方向の凹部を設け、開閉ができるようにする。
【請求項４】
重り３の内部に、重り受け止め１０を設ける。形状は円錐形か朝顔形にし、上部に切れ目１３を入れる。分割し重り３に固定し、開閉ができるようにする。
【請求項５】
測定距離表示を着色により、重り止め２、糸１に明示する。又は、重り止め２に数値を印字する。
【発明の詳細な説明】
【技術分野】
【０００１】  本発明は海面（又は水面）から海底（又は水底）までの水深距離を陸上から測定する方法である。
【背景技術】
【０００２】  従来、水深測定は船上から超音波深度計装置を用いる方法と、紐に重りをつけ沈下させる測定方法等があった。
【発明の開示】
【発明が解決しようとする課題】
【０００３】  海で魚釣りをする場合、水深は重要なポイントになる。従来、水深を知る場合はその方面の専門誌からの情報が主であった。従って大まかなことしか分からず、釣りに及ぼす影響が大きかった。水深は複雑な海底の地形で変化する。そこで個々の場所で異なる水深を知る必要があった。
本発明はこれらの要求を満たすために、魚釣りの前段階として水深を把握し、釣りの仕掛け作りに生かすことを目的としたものである。
【課題を解決するための手段】
【０００４】  糸１の先端部から距離を測定し測定点を決める。測定点に重り止め２を装着し固定する。糸１の先端部をウキ４に連結し、重り３を取り付ける。糸１の末端部を竿５に通しリール６に固定し、捲きつける。
次に重り３の構造であるが、図３の重り３は上部に切り込み７を、図７の重り３は上部に溝８を設ける。それぞれの底面の凹部９は切り込み７と溝８と同一の位置方向とする。図１１の重り３は内部に円錐形の重り止め受け１０を設ける。上部に切れ目１３を入れる。重り３は取り付け、取り外しができるように開閉式にし、使用時は結束材１２で一体化する。
【発明の効果】
【０００５】  本発明で最も重要なのは重り３の働きである。糸１は海面、海中では浮いた状態である。それを重さで沈下させ、糸１を垂直状態にしながら、海底へ降下する。重り３が海底に達した時はウキ４から垂れた糸１は、ほぼ一直線となり水深距離を適確に表わす。又、重り３は空洞状になっているのでスムーズに降下する。次に重り３の機能であるが、切り込み７、溝８形式は底面の凹部９と同一の位置方向なので、糸１は確実に切り込み７、溝８に導かれ食い込み、離脱を防ぐ。円錐形をした重り止め受け１０は、上部に切れ目１３を入れている。通常は閉じた状態であるが重り止め２が通過する時は開き、重り３を揚げる時は先端部で受け止める。重り３は開閉形式とし、取り付け、取り外しを容易にした。
以上のように本発明を使用する場合は、通常の海釣りの要領でよく、構造が簡単で軽量であるため、持ち運びが容易である。
又、製造、製作する場合は、大半（重りを除く）は既製の該当する釣用品をそのままか、一部を改良して活用することができる。
【発明を実施するための最良の形態】
【０００６】  本発明は以上のような構造で、これを使用するときは、竿５の先端部までウキ４と重り３を持ってくる。竿５で測定場所の海面１０に投げる。ウキ４下の重り３は糸１を導きながら降下する。重り３が海底１１に到達すると糸１の動きが止まり、その時点で糸１をリール６で捲き揚げる。重り３は糸１に添って逆方向に進み、最初の重り止め２に引っ掛かる。そのまま陸上に揚げる。重り３を止めた重り止め２からウキ４までの距離が水深距離となる。ウキ４までの重り止め２の数で水深が分かる。水深距離を容易に知るため、距離表示１１を重り止め２、糸１に着色で明示する。又、重り止め２に距離数値を印字する。
【図面の簡単な説明】
【０００７】
【図１】  本発明の各部からなる仕組みを構成した斜視図。
【図２】  重り止めの斜視図。
【図３】  重り（切り込み形）の斜視図。
【図４】  重りの正面図。
【図５】  重りを開いた状態の斜視図。
【図６】  重りの底面図。
【図７】  重り（溝形）の斜視図。
【図８】  重りの正面図。
【図９】  重りを開いた斜視図。
【図１０】  重りの底面図。
【図１１】  重りの内部を点線で表わした略図。
【図１２】  重り止め受けの斜視図。
【図１３】  重りを開いた状態の斜視図。
【図１４】  重りの使用時の斜視図。
【図１５】  本発明の実施状態を表わした構成図。
【図１６】  重り止めと糸に距離表示をした略図。
【図１７】  重り（切り込み形）に糸が食い込み、重り止めで止まった状態の斜視図。
【図１８】  重り（溝形）に糸が食い込み、重り止めで止まった状態の斜視図。    。
【図１９】  重りの内部の重り止め受けが、重り止めを止めた状態を示す一部断面図
【符号の説明】
１  糸                ６  リール          １１  結束溝
２  重り止め          ７  切り込み        １２  結束材
３  重  り            ８  溝              １３  切れ目
４  ウキ              ９  凹部
５  竿              １０  重り止め受け
【図１】
2007010641.tif 000003
【図２】
2007010641.tif 000004
【図３】
2007010641.tif 000005
【図５】
2007010641.tif 000006
【図６】
2007010641.tif 000007
【図７】
2007010641.tif 000008
【図９】
2007010641.tif 000009
【図１０】
2007010641.tif 000010
【図１１】
2007010641.tif 000011
【図１２】
2007010641.tif 000012
【図１３】
2007010641.tif 000013
【図１４】
2007010641.tif 000014
【図１５】
2007010641.tif 000015
【図１６】
2007010641.tif 000016
【図１７】
2007010641.tif 000017
【図１９】
2007010641.tif 000018
【手続補正書】
【提出日】平成17年9月5日(2005.9.5)
【手続補正２】
【補正対象書類名】図面
【補正対象項目名】全図
【補正方法】変更
【補正の内容】
【図１】
2007010641.tif 000019
【図２】
2007010641.tif 000020
【図３】
2007010641.tif 000021
【図４】
2007010641.tif 000022
【図５】
2007010641.tif 000023
【図６】
2007010641.tif 000024
【図７】
2007010641.tif 000025
【図８】
2007010641.tif 000026
【図９】
2007010641.tif 000027
【図１０】
2007010641.tif 000028
【図１１】
2007010641.tif 000029
【図１２】
2007010641.tif 000030
【図１３】
2007010641.tif 000031
【図１４】
2007010641.tif 000032
【図１５】
2007010641.tif 000033
【図１６】
2007010641.tif 000034
【図１７】
2007010641.tif 000035
【図１８】
2007010641.tif 000036
【図１９】
2007010641.tif 000037